【事件の表示】
　特願２０００−６０６２９１号「フリースタンディングフィルタ」拒絶査定不服審判事件〔平成１２年９月２８日国際公開、ＷＯ００／５６３９０、平成１４年１１月２６日国内公表、特表２００２−５３９８５８号〕について、次のとおり審決する。
【結　論】
　本件審判の請求は、成り立たない。
【理　由】
Ｉ．手続の経緯
　本願は、平成１２年３月１６日（パリ条約による優先権主張　１９９９年３月１９日、米国）を国際出願とする出願であって、平成１８年１月１７日付けで拒絶査定がなされ、これに対し、平成１８年４月１９日に拒絶査定不服審判の請求がなされるとともに、平成１８年５月１８日付けで明細書についての手続補正がなされたものである。
　
II．平成１８年５月１８日付けの手続補正についての補正却下の決定
［補正却下の決定の結論］
　平成１８年５月１８日付けの手続補正（以下、「本件補正」という。）を却下する。
　
［理由］
１．補正後の本願発明
　本件補正により、特許請求の範囲の請求項１は、次のように補正された。（下線は、補正箇所を示す。）
　「細長いガイドワイヤに沿って血管に導入し、該血管を通る血流において塞栓を捕捉するために、管壁と接触して放射方向に拡張するためのフリースタンディングフィルタであって、
　第１の端部及び前記第１の端部から離間した第２の端部を有するフィルタ本体であって、該フィルタ本体が、該フィルタ本体の前記第１の端部及び前記第２の端部との間に延在する細長いガイドワイヤ受容部材を含み、該細長いガイドワイヤ受容部材が前記細長いガイドワイヤ受容部材を通ってガイドワイヤを受容し、通過させることができ、その間の相対的な移動を行うことができるサイズの開口端を有するチャネルを規定するフィルタ本体と、
　前記細長いガイドワイヤ受容部材に接続され、前記細長いガイドワイヤ受容部材を囲繞する拡張可能かつ収縮可能なフレームであって、前記細長いガイドワイヤ受容部材に隣接する第１の収縮位置と、前記細長いガイドワイヤ受容部材から放射方向に離間された第２の拡張位置との間で、移動するように構成されたフレームと、
　多孔性塞栓捕捉ユニット
であって、前記多孔性塞栓捕捉ユニットの遠位端にて頂点を含む多孔性塞栓捕捉ユニットと
　
前記細長いガイドワイヤ受容部材の上を摺動する摺動可能な継手であって、前記多孔性塞栓捕捉ユニットの前記頂点が接続される摺動可能な継手と、
　
前記多孔性塞栓捕捉ユニットの遠位端が、前記細長いガイドワイヤ受容部材の上を摺動する、
　
２．補正の目的、及び新規事項の追加の有無
　本件補正は、補正前の請求項１（平成１７年１２月６日付け手続補正書により補正された特許請求の範囲の請求項１）に記載され、原査定の理由に不明瞭な記載と指摘された「多孔性塞栓補足ユニットの少なくとも一部が、実質的に円錐である、」との特定事項を「多孔性塞栓捕捉ユニットであって、前記多孔性塞栓捕捉ユニットの遠位端にて頂点を含む多孔性塞栓捕捉ユニットと、」と、その部位を明瞭にする記載に補正するとともに、補正前の請求項１に記載された発明を特定するために必要な事項である「前記フレームに接続される多孔性塞栓捕捉ユニット」との特定事項に、「前記細長いガイドワイヤ受容部材の上を摺動する摺動可能な継手であって、前記多孔性塞栓捕捉ユニットの前記頂点が接続される摺動可能な継手と、を具備し、前記多孔性塞栓捕捉ユニットの遠位端が、前記細長いガイドワイヤ受容部材の上を摺動する、」との限定を付加するものであり、かつ、補正後の請求項１に記載された発明は、補正前の請求項１に記載された発明と、産業上の利用分野及び解決しようとする課題が同一であるので、本件補正は、平成１８年改正前特許法第１７条の２第４項第２号の特許請求の範囲の減縮を目的とするものに該当する。
　そして、本件補正は、新規事項を追加するものではない。
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）、以下に検討する。
　
３−１．引用例の記載事項
　原査定の拒絶の理由に引用された米国特許第４７２３５４９号明細書（以下、「引用例」という。）には、図面と共に次の事項が記載されている。
ａ．「As shown in FIGS. 1-3, the device of the invention includes a flexible elongated catheter 1 which is inserted into a blood vessel 3 narrowed by a stenosis 5 through an incision (not shown) upstream of the stenosis 5. The catheter 1 is guided into place with the distal end 7 downstream of the stenosis 5 by a guide wire 9 which passes through a guide lumen 11 in the catheter. 
・・・A toroidal dilating balloon 13 is secured to the catheter 1 by known techniques at a location spaced from the distal end 7 of the catheter. A dilating balloon lumen 15 in the catheter supplies pressurizing fluid to the dilating balloon through an orifice 17.
A filter device 19 is affixed to the catheter between the distal end 7 and the dilating balloon 13. This filter device includes a plurality of ribs 21, of which four are shown in the embodiments illustrated, equiangularly spaced around the catheter 1. A device with six equiangularly spaced ribs 21 has also been constructed. The ribs 21 are pivotally secured to the catheter at one end and extend gradually axially along the catheter in the stowed position shown in FIG. 1. The ribs 21 are formed of a resilient material, preferably stainless steel or a suitable plastic. In the exemplary embodiment, the ribs 21 are 0.006 inch diameter steel wires. These wires are pivotally mounted on the catheter by a ring 23 which in turn is secured to the catheter, such as by an adhesive 25. ・・・ The resilient ribs 21 are prestressed or preformed such that they are biased inward against the catheter.」（第２欄第６２行〜第３欄第２６行）（図１−３に示されるように、この発明の装置は、狭窄５の上流の切り口（図示されない）を通して、狭窄５で狭くなった血管３へ差し込まれる、柔軟に伸びるカテーテル１を含んでいる。カテーテル１は、カテーテル中のガイド腔１１を通り抜けるガイドワイヤ９によって、遠位端７を狭窄５の下流にガイドされる。・・・環状体の拡大するバルーン１３は、カテーテルの遠位端７から一定間隔で配置された位置で既知の技術によってカテーテル１に取り付けられる。カテーテル中の膨張バルーン腔１５は、開口部１７を通って膨張バルーンに与圧流体を供給する。フィルタ装置１９は、遠位端７と膨張バルーン１３の間のカテーテルに取り付けられる。このフィルタ装置は多くのリブ２１を含んでおり、図示された具体例では４本であり、カテーテル１のまわりで等角度に間隔を置かれている。６つの等角度間隔に置かれたリブ２１を備えた装置も構築される。リブ２１は、１つの終わりでカテーテルにピボット可能に取り付けられ、図１に示される収納位置で、カテーテルに沿って軸方向に伸びる。リブ２１は、弾力のある材料、できればステンレス鋼あるいは適切なプラスチックから作られる。典型的な具体例では、リブ２１は直径０．００６インチの鋼線である。これらのワイヤは、接着剤２５によってカテーテルに固定されたリング２３によって、カテーテルに対してピボット可能に取り付けられている。
・・・弾力のあるリブ２１は、それらがカテーテルに対して内部に偏向するように、プレストレスされるか、あるいは前もって作られる。）
ｂ．「Filter material 37 spans the gaps between and is secured to the ribs 21. ・・・
Inflation of the filter balloon 29 extends the filter by pivoting the ribs 21 until they come into contact with the interior wall of the blood vessel 3 as shown in FIG. 2. ・・・ With the ribs 21 extended into contact with the wall of the blood vessel the filter material is stretched across the blood vessel to form a cup shaped opening toward the dilating balloon to catch any fragments broken loose from the stenosis 5. The resiliency or compliance of the ribs 21 causes them to retract to the stowed position shown in FIG. 1 when the filter balloon 29 is deflated. 」（第３欄第３１行〜５４行）（フィルタ材３７は、リブ２１のギャップ間にまたがり、リブ２１に取り付けられる。・・・フィルタ・バルーン２９の膨張は、それらが、図２に示されるように血管３の内壁と接触するまで、リブ２１をピボットさせることにより、フィルタを拡張する。・・・フィルタ材を血管の壁と接触するように、リブ２１を拡張して伸し、血管を横断して、狭窄５からのどんな破片もつかむために拡大するバルーンへの開口部を形作るカップを形成する。リブ２１の弾力性・追従性は、フィルタ・バルーン２９から空気を抜かれる時、図１に示される収納位置へそれらを収縮させる。）
ｃ．「In the preferred form of the filter shown in FIGS. 5 and 6, the ends 41 of the resilient ribs 21' which extend toward the dilating balloon 13 are secured to a second ring 43 which is slidable along the catheter 1. ・・・ Inflation of the filter balloon 29 causes the ribs 21' to bow outward as shown in FIG. 5 until points, 45, in their mid portion contact the wall of the blood vessel. ・・・Upon deflation of the filter balloon 29, the resiliency or compliance of the ribs 21' returns then to the stowed position shown in FIG. 6 ・・・」（第３欄第６７行〜第４欄第１４行）（図５および６に示されるフィルタの好ましい形態では、膨張バルーン１３の方へ伸びる弾力のあるリブ２１’の終端４１は、カテーテル１に沿って移動する第２リング４３へ取り付けられる。・・・フィルタ・バルーン２９の膨張は、リブ２１’を中央の部分が血管の壁と接触するように、図５の４５に示される位置まで外へ湾曲させる。・・・フィルタ・バルーン２９の縮小に際して、リブ２１’の弾力性・追従性は、図６に示される収納位置へ戻し、・・・  ）
　
　ここで、引用例に記載されるフィルタ装置１９が取り付けられたカテーテル１は、ガイドワイヤ９に沿って、血管に導入されるものであり（ａ．参照）、ガイドワイヤが、細長いことは自明であるとともに、引用例には、「Inflation of the filter balloon 29 extends the filter by pivoting the ribs 21 until they come into contact with the interior wall of the blood vessel 3 as shown in FIG. 2. ・・・ With the ribs 21 extended into contact with the wall of the blood vessel the filter material is stretched across the blood vessel to form a cup shaped opening toward the dilating balloon to catch any fragments broken loose from the stenosis 5. 」（ｂ．参照）と、血管３の内壁と接触するまで、フィルタを拡張する旨記載され、さらに、狭窄５からの破片もつかむために開口部を形成する旨記載されるのであるから、引用例には、
　細長いガイドワイヤ９に沿って血管に導入し、該血管を通る血流において塞栓を捕捉するために、管壁と接触して放射方向に拡張するためのカテーテル１に設けたフィルタ装置
が記載されている。
　また、カテーテル１には、端部が図示されており、第１の端部及び前記第１の端部から離間した第２の端部を有することは、自明の事項である。そして、引用例には、「The catheter 1 is guided into place ・・・by a guide wire 9 which passes through a guide lumen 11 in the catheter.」（ａ．参照）と、カテーテル１は、カテーテル中のガイド腔１１を通り抜けるガイドワイヤ９にガイドされる旨記載され、Ｆｉｇ．１の記載によれば、ガイド腔１１は細長く、カテーテル１に設けられる以上、ガイド腔１１がカテーテル１の前記第１の端部及び前記第２の端部との間に延在すると解されるとともに、カテーテル１がガイドワイヤ９にガイドされるのであるから、その間の相対移動が可能な寸法関係にあることが把握され、Ｆｉｇ．１の記載によれば、ガイド腔１１の端部、カテーテル１の遠位端７から、ガイドワイヤ９の端部がカテーテル本体１の外部に伸びている。
　したがって、引用例には、
　第１の端部及び前記第１の端部から離間した第２の端部を有するカテーテル１であって、該カテーテル１が、該カテーテル１の前記第１の端部及び前記第２の端部との間に延在する細長いガイド腔１１を含み、該細長いカテーテル１が前記細長いガイド腔１１を通ってガイドワイヤ９を受容し、通過させることができ、その間の相対的な移動を行うことができるサイズの開口端を有する孔を規定するカテーテル１
が記載されている。
　さらに、引用例のリブ２１に関し、「The ribs 21 are pivotally secured to the catheter at one end and extend gradually axially along the catheter in the stowed position shown in FIG. 1.」（ａ．参照）と記載され、指摘されるＦＩＧ．１を併せみると、リブ２１は、カテーテルに沿った収納位置をとることが記載されている。また、「Inflation of the filter balloon 29 causes the ribs 21' to bow outward as shown in FIG. 5 until points, 45, in their mid portion contact the wall of the blood vessel.」と記載され、指摘されるＦＩＧ．５を併せ見ると、リブ２１’の中央の部分を血管の壁と接触しさせるように外へ湾曲させるカテーテルから放射方向に離間された位置をとるものとされている。
　この両位置をとることと関連して、「In the preferred form of the filter shown in FIGS. 5 and 6, the ends 41 of the resilient ribs 21' which extend toward the dilating balloon 13 are secured to a second ring 43 which is slidable along the catheter 1.」（ｃ．参照）と記載され、指摘されるＦＩＧ．５，６を併せみると、リブ２１’は、カテーテル１に沿って移動する第２リング４３に終端４１が取り付けられ、さらに、「In the exemplary embodiment, the ribs 21 are 0.006 inch diameter steel wires. These wires are pivotally mounted on the catheter by a ring 23 which in turn is secured to the catheter, such as by an adhesive 25.」（ａ．参照）と、リブを構成するワイヤの遠位の端は、カテーテルの接着されるリング２３にピボット可能に取り付けられると記載されている。
　さらに、リブ２１には、フィルタ３７が取り付けられており（ｂ．参照）、ＦＩＧ．２，５によれば、フィルタ３７の遠位の端は、リング２３に接続して、膨張時の頂点を形成している。
　したがって、引用例には、
　細長いカテーテル１に接続され、前記細長いカテーテル１を囲繞する拡張可能かつ収縮可能なリブ２１であって、前記細長いカテーテル１に隣接する第１の収縮位置と、前記細長いカテーテル１から放射方向に離間された第２の拡張位置との間で、移動するように構成されたリブ２１と、
　フィルタ３７であって、前記フィルタ３７の遠位端にて頂点を含むフィルタ３７がリブ２１の間に取り付けられ、前記フィルタ３７の前記頂点が接続される接着されたリング２３と、を具備し、
　前記細長いリブ２１の上を摺動する摺動可能な第２リング４３であって、リブ２１の終端が前記細長いカテーテル１の上を摺動するカテーテル１に設けたフィルタ３７
が記載されている。
　これらの記載事項及び図示内容を総合し、本願補正発明の記載ぶりに則って整理すると、引用例には、次の発明（以下、「引用発明」という。）が記載されている。
　「細長いガイドワイヤ９に沿って血管３に導入し、該血管３を通る血流において塞栓を捕捉するために、管壁と接触して放射方向に拡張するためのカテーテル１に設けたフィルタ装置であって、
　第１の端部及び前記第１の端部から離間した第２の端部を有するフィルタ３７を設けたカテーテル１であって、該フィルタ３７を設けたカテーテル１が、該フィルタ３７を設けたカテーテル１の前記第１の端部及び前記第２の端部との間に延在する細長いカテーテル１を含み、該細長いカテーテル１が前記細長いカテーテル１を通ってガイドワイヤ９を受容し、通過させることができ、その間の相対的な移動を行うことができるサイズの開口端を有するガイド腔１１を規定するフィルタ３７を設けたカテーテル１と、
　前記細長いカテーテル１に接続され、前記細長いカテーテル１を囲繞する拡張可能かつ収縮可能なリブ２１であって、前記細長いカテーテル１に隣接する第１の収縮位置と、前記細長いカテーテル１から放射方向に離間された第２の拡張位置との間で、移動するように構成されたリブ２１と、
　フィルタ３７であって、前記フィルタ３７の遠位端にて頂点を含むフィルタ３７と、
　前記細長いカテーテル１の上に接着されたリング２３であって、前記フィルタ３７の前記頂点が接続される接着されたリング２３と、
　前記細長いカテーテル１の上を摺動する摺動可能な第２リング４３であって、前記フィルタ３７を取り付けるリブ２１の前記頂点ではない側が摺動可能な第２リング４３と、を具備し、
　前記フィルタ３７を取り付けるリブ２１の、フィルタ３７の前記頂点ではない側が細長いカテーテル１の上を摺動する、カテーテル１に設けたフィルタ装置。」
　
３−２．対比
　本願補正発明と引用発明とを対比すると、血管を通る血流において塞栓を捕捉する機能等からみて、引用発明の「フィルタ装置」と本願補正発明の「フリースタンディングフィルタ」とは、ともに「血管を通る血流において塞栓を捕捉するフィルタ」である点で共通している。
　そして、その構造または機能からみて、引用発明の「フィルタ３７を設けたカテーテル１」は、本願補正発明の「フィルタ本体」に相当し、「フィルタ３７を設けたカテーテル１」の一部である「カテーテル」は、本願補正発明の「フィルタ本体」に含まれるとされる「ガイドワイヤ受容部材」に相当しており、以下同様に、「ガイド腔１１」は「チャネル」に、「ガイドワイヤ９」は「ガイドワイヤ」に、「リブ２１」は「フレーム」に、「フィルタ３７」は「多孔性塞栓捕捉ユニット」に、それぞれ相当する。
　また、引用発明の「リング２３」は「フィルタ３７」を「カテーテル１」に取り付ける部材であり、本願補正発明の「継手」は「多孔性塞栓捕捉ユニット」を「ガイドワイヤ受容部材」に取り付ける部材であり、取り付けの形式はさておき、どちらも「接続部材」である点では共通している。
　
　そこで、本願補正発明の用語を用いて表現すると、両者は次の点で一致する。
（一致点）
「細長いガイドワイヤに沿って血管に導入し、該血管を通る血流において塞栓を捕捉するために、管壁と接触して放射方向に拡張するための血管を通る血流において塞栓を捕捉するフィルタであって、
　第１の端部及び前記第１の端部から離間した第２の端部を有するフィルタ本体であって、該フィルタ本体が、該フィルタ本体の前記第１の端部及び前記第２の端部との間に延在する細長いガイドワイヤ受容部材を含み、該細長いガイドワイヤ受容部材が前記細長いガイドワイヤ受容部材を通ってガイドワイヤを受容し、通過させることができ、その間の相対的な移動を行うことができるサイズの開口端を有するチャネルを規定するフィルタ本体と、
　前記細長いガイドワイヤ受容部材に接続され、前記細長いガイドワイヤ受容部材を囲繞する拡張可能かつ収縮可能なフレームであって、前記細長いガイドワイヤ受容部材に隣接する第１の収縮位置と、前記細長いガイドワイヤ受容部材から放射方向に離間された第２の拡張位置との間で、移動するように構成されたフレームと、
　多孔性塞栓捕捉ユニットであって、前記多孔性塞栓捕捉ユニットの遠位端にて頂点を含む多孔性塞栓捕捉ユニットと、
　前記細長いガイドワイヤ受容部材の上の接続部材であって、前記多孔性塞栓捕捉ユニットの前記頂点が接続される接続部材と、を具備した
血管を通る血流において塞栓を捕捉するフィルタフィルタ。」
　
　そして、両者は次の相違点１及び２で相違する。
（相違点１）
　本願補正発明の血管を通る血流において塞栓を捕捉するフィルタは、フリースタンディングフィルタであるのに対し、引用発明の血管を通る血流において塞栓を捕捉するフィルタは、カテーテルに設けたフィルタ装置である点。
　
（相違点２）
　本願補正発明の細長いガイドワイヤ受容部材の上の接続部材は、ガイドワイヤ受容部材の上を摺動する摺動可能な継手であって、多孔性塞栓捕捉ユニットの遠位端が、前記細長いガイドワイヤ受容部材の上を摺動するのに対し、引用発明の細長いガイドワイヤ受容部材の上の接続部材は、カテーテルの上に接着されたリングであり、多孔性塞栓捕捉ユニットに相当するフィルタの遠位端が、前記細長いガイドワイヤ受容部材に相当するカテーテルの上を摺動するものではなく、頂点ではない側の第２リングが摺動する点。
　
３−３．相違点の判断
　上記相違点について検討する。
（相違点１について）
　血管を通る血流において塞栓を捕捉するフィルタとして、フリースタンディングフィルタは、原審の拒絶の理由に引用された米国特許第４６４３１８４号明細書にもあるように周知の一形式であり、引用発明のものをその設計にあたり、周知の形式とすることに格別の困難性は認められないので、引用発明に、周知の技術を適用して、相違点１に係る本願補正発明の発明特定事項のようにすることは当業者が容易に想到し得たことである。
　
（相違点２について）
　引用発明においても、フィルタの収納位置とフィルタの拡張位置との間で、フィルタを取り付けたリブのフィルタの頂点ではない側の第２リングはカテーテル上を摺動している。そして、頂点を有する形状物の収納・拡張においては、その形状から少なくとも１の移動部位が必須であることは明らかであり、引用発明は、フィルタの収縮位置と拡張位置との間で、頂点を有して変形するものであるから、当業者は、少なくとも１カ所の移動部位を設けることを引用例の直接の記載の有無にかかわらず把握可能な事項というべきであり、その設計にあたり、引用発明の第２リングまたはフィルタの頂点側のリングの何れを摺動させるかは、適宜選択し得た設計上の差異にすぎない。
　したがって、引用発明を相違点２に係る本願補正発明の発明特定事項のようにすることは、当業者が適宜なしえた設計上の事項に属するものである。
　
　そして、本願補正発明による効果も、引用発明及び周知技術から当業者が予測し得た程度のものであって、格別のものとはいえない。
　
　したがって、本願補正発明は、引用発明及び周知技術に基づいて、当業者が容易に発明をすることができたものであるから、特許法第２９条第２項の規定により、特許出願の際独立して特許を受けることができない。
　
３−４．むすび
　したがって、本件補正は、平成１８年改正前特許法第１７条の２第５項において準用する同法第１２６条第５項の規定に適合しないので、特許法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、平成１７年１２月６日付けの手続補正書により補正された明細書の、特許請求の範囲の請求項１に記載された事項により特定される、以下のとおりのものである。
　「細長いガイドワイヤに沿って血管に導入し、該血管を通る血流において塞栓を捕捉するために、管壁と接触して放射方向に拡張するためのフリースタンディングフィルタであって、
　第１の端部及び前記第１の端部から離間した第２の端部を有するフィルタ本体であって、該フィルタ本体が、該フィルタ本体の前記第１の端部及び前記第２の端部との間に延在する細長いガイドワイヤ受容部材を含み、該細長いガイドワイヤ受容部材が前記細長いガイドワイヤ受容部材を通ってガイドワイヤを受容し、通過させることができ、その間の相対的な移動を行うことができるサイズの開口端を有するチャネルを規定するフィルタ本体と、
　前記細長いガイドワイヤ受容部材に接続され、前記細長いガイドワイヤ受容部材を囲繞する拡張可能かつ収縮可能なフレームであって、前記細長いガイドワイヤ受容部材に隣接する第１の収縮位置と、前記細長いガイドワイヤ受容部材から放射方向に離間された第２の拡張位置との間で、移動するように構成されたフレームと、
　前記フレームに接続される多孔性塞栓捕捉ユニットと、を具備し、
　前記多孔性塞栓補足ユニットの少なくとも一部が、実質的に円錐である、フリースタンディングフィルタ。」
　
IV．引用例の記載事項
　原査定の拒絶の理由に引用された引用例、及び、その記載事項は、前記II．３−１に記載したとおりである。
　
Ｖ．対比・判断
　本願発明は、前記II．１の本願補正発明の限定事項である「多孔性塞栓捕捉ユニットであって、前記多孔性塞栓捕捉ユニットの遠位端にて頂点を含む多孔性塞栓捕捉ユニットと、」との特定事項から、その部位を明瞭とする事項を省くとともに、「前記フレームに接続される多孔性塞栓捕捉ユニット」に係る限定である「前記細長いガイドワイヤ受容部材の上を摺動する摺動可能な継手であって、前記多孔性塞栓捕捉ユニットの前記頂点が接続される摺動可能な継手と、を具備し、前記多孔性塞栓捕捉ユニットの遠位端が、前記細長いガイドワイヤ受容部材の上を摺動する、」との限定事項を省いたものである。
　そうすると、本願発明の発明特定事項をすべて含み、さらに、他の発明特定事項を付加したものに相当する本願補正発明が、前記II．３−２、３−３に記載したとおり、引用発明及び周知技術に基づいて、当業者が容易に発明をすることができたものであるから、本願発明も、同様に、引用発明及び周知技術に基づいて、当業者が容易に発明をすることができたものである。
　
VI．むすび
　以上のとおり、本願発明は、引用発明及び周知技術に基づいて、当業者が容易に発明をすることができたものであるから、特許法第２９条第２項の規定により、特許を受けることができない。
　よって、結論のとおり審決する。